(57)【要約】【課題】指示情報に関する情報を、それについて関係のないユーザに見せないようにすることが可能な指示情報処理装置およびその制御方法を提供する。【解決手段】指示情報処理装置１は、第１受付部２１が、操作パネル３の操作部３２から操作入力を受付けて、その操作入力に基づく処理を処理部２３に行わせ、他方、第２受付部２２が、ネットワークを介してＰＣから受信した指示書に表されているジョブフローを受付けて、そのジョブフローに基づく処理を処理部２３に行わせる。そして、表示制御部２４が、第２受付部２２で受付けたジョブフローを処理部２３が処理することによってジョブフローに関する情報（第２側処理情報）を表示する必要が生じた場合に、第１受付部２１が操作入力の受付中であれば、第２側処理情報の表示を制限する。【選択図】図１
2008048177.tif 000002
【特許請求の範囲】
【請求項１】
表示部を備え、所定の処理工程が記述された指示情報に基づいて処理を行う指示情報処理装置であって、
前記表示部の画面表示を利用した操作入力を受付ける第１受付手段と、
前記指示情報の入力を受付ける第２受付手段と、
前記第２受付手段が受付けた指示情報を処理することによって該指示情報に関する情報である第２側処理情報を表示する必要が生じた場合に、前記第１受付手段が操作入力の受付中であるときは、前記表示部での前記第２側処理情報の表示を制限する表示制御手段と、
を備えることを特徴とする指示情報処理装置。
【請求項２】
表示部を備え、所定の処理工程が記述された指示情報に基づいて処理を行う指示情報処理装置であって、
前記表示部の画面表示を利用した操作入力を受付ける第１受付手段と、
前記指示情報の入力を受付ける第２受付手段と、
前記第２受付手段が受付けた指示情報を処理することによって該指示情報に関する情報である第２側処理情報を表示する必要が生じた場合に、前記表示部での前記第２側処理情報の表示を設定によって制限する表示制御手段と、
を備えることを特徴とする指示情報処理装置。
【請求項３】
前記第２受付手段は、外部装置に接続されて該外部装置から前記指示情報の入力を受付けるものであり、
前記外部装置に前記第２側処理情報を表示させる手段を備える請求項１または２に記載の指示情報処理装置。
【請求項４】
前記指示情報は、前記表示部での前記第２側処理情報の表示を制限するように前記表示制御手段を動作させる処理命令を含む請求項１ないし３のいずれか１項に記載の指示情報処理装置。
【請求項５】
表示部を備え、所定の処理工程が記述された指示情報に基づいて処理を行う指示情報処理装置の制御方法であって、
前記指示情報の入力を受付ける受付ステップと、
前記指示情報を処理することによって該指示情報に関する情報である処理情報を表示する必要が生じた場合に、前記表示部の画面表示を利用した操作入力の受付中であるときは、前記表示部での前記処理情報の表示を制限する表示制御ステップと、
を備えることを特徴とする指示情報処理装置の制御方法。
【請求項６】
表示部を備え、所定の処理工程が記述された指示情報に基づいて処理を行う指示情報処理装置の制御方法であって、
前記指示情報の入力を受付ける受付ステップと、
前記指示情報を処理することによって該指示情報に関する情報である処理情報を表示する必要が生じた場合に、前記表示部での前記処理情報の表示を設定によって制限する表示制御ステップと、
を備えることを特徴とする指示情報処理装置の制御方法。
【発明の詳細な説明】
【技術分野】
【０００１】
本発明は、所定の処理工程が記述された指示情報に基づいて処理を行う指示情報処理装置およびその制御方法に関する。
【背景技術】
【０００２】
文書データや画像データなどのドキュメントに対してプリント，スキャン，コピー，ＯＣＲ，メール配信，フォルダ格納などの処理を組み合わせた所定の処理工程を施すべく、一連の処理工程が記述された指示情報（ジョブフローともいう）に基づいた処理を行う指示情報処理装置が知られている。このような指示情報処理装置は、例えば、プリンタ機能，スキャナ機能，ファクシミリ機能などの複数の機能を備える複合機において実現される。
【特許文献１】特開２００４−２８９６７２号公報
【発明の開示】
【発明が解決しようとする課題】
【０００３】
ところで、複数の処理を同時に実行可能な指示情報処理装置では、ネットワーク等を介して接続されているパーソナルコンピュータ（ＰＣ）等の外部装置から指示情報を受けて処理を行う場合に、その処理中に、パスワードの入力を求めるパスワード入力画面や用紙サイズの入力を求めるサイズ指定画面などの指示情報に関する情報を操作パネルに表示することがある。
【０００４】
このように指示情報に関する情報が操作パネルに表示される場合に、指示情報を出力した外部装置のユーザとは異なる他ユーザが操作パネルを使用して前記処理中の処理とは異なる処理のための操作を行っていたり実行をさせていると、他ユーザによって指示情報に関する情報が見られてしまったり、この情報に対する応答が誤って為されてしまったりする事態が生じる。
【０００５】
本発明は、上記問題に鑑みて為されたものであり、指示情報に関する情報をそれについて関係のないユーザに見せないようにすることが可能な指示情報処理装置およびその制御方法を提供することをその目的の一つとする。
【課題を解決するための手段】
【０００６】
上記課題を解決するため、本発明の指示情報処理装置は、表示部を備え、所定の処理工程が記述された指示情報に基づいて処理を行う指示情報処理装置であって、表示部の画面表示を利用した操作入力を受付ける第１受付手段と、指示情報の入力を受付ける第２受付手段と、第２受付手段が受付けた指示情報を処理することによって該指示情報に関する情報である第２側処理情報を表示する必要が生じた場合に、第１受付手段が操作入力の受付中であるときは、表示部での第２側処理情報の表示を制限する表示制御手段と、を備えることを特徴とする。
【０００７】
または、本発明の指示情報処理装置は、表示部を備え、所定の処理工程が記述された指示情報に基づいて処理を行う指示情報処理装置であって、表示部の画面表示を利用した操作入力を受付ける第１受付手段と、指示情報の入力を受付ける第２受付手段と、第２受付手段が受付けた指示情報を処理することによって該指示情報に関する情報である第２側処理情報を表示する必要が生じた場合に、表示部での第２側処理情報の表示を設定によって制限する表示制御手段と、を備えることを特徴とする。
【０００８】
また、本発明の指示情報処理装置において、第２受付手段は、外部装置に接続されて該外部装置から指示情報の入力を受付けるものであり、外部装置に第２側処理情報を表示させる手段を更に備える。
【０００９】
また、本発明の指示情報処理装置において、指示情報は、表示部での第２側処理情報の表示を制限するように表示制御手段を動作させる処理命令を含む。
【００１０】
本発明の指示情報処理装置の制御方法は、表示部を備え、所定の処理工程が記述された指示情報に基づいて処理を行う指示情報処理装置の制御方法であって、指示情報の入力を受付ける受付ステップと、指示情報を処理することによって該指示情報に関する情報である処理情報を表示する必要が生じた場合に、表示部の画面表示を利用した操作入力の受付中であるときは、表示部での処理情報の表示を制限する表示制御ステップと、を備えることを特徴とする。
【００１１】
または、指示情報処理装置の制御方法は、表示部を備え、所定の処理工程が記述された指示情報に基づいて処理を行う指示情報処理装置の制御方法であって、前記指示情報の入力を受付ける受付ステップと、前記指示情報を処理することによって該指示情報に関する情報である処理情報を表示する必要が生じた場合に、前記表示部での前記処理情報の表示を設定によって制限する表示制御ステップと、を備えることを特徴とする。
【発明の効果】
【００１２】
上記本発明によると、第１受付手段が操作入力の受付中であるとき若しくは設定によって、第２側処理情報の表示が制限されることから、表示部の画面表示を利用して操作入力を行っているユーザによって、第２側処理情報を見られたり、第２側処理情報に対する応答を誤って為されたりするような事態を防止することができる。
【発明を実施するための最良の形態】
【００１３】
本発明の実施形態を図面を参照しながら説明する。
【００１４】
指示情報処理装置１の構成について説明する。図２は、指示情報処理装置１の構成を表すブロック図である。指示情報処理装置１は、プリンタ機能，スキャナ機能，ファクシミリ機能などの複数の機能を備える複合機として構成されている。
【００１５】
指示情報処理装置１は、文書データや画像データなどのドキュメントに施す一連の処理工程が記述された指示情報（ジョブフローともいう）に基づく処理を行うものである。ドキュメントに施す処理としては、プリント，スキャン，コピー，ＯＣＲ（Optical Character Reader），メール配信，フォルダ格納などがある。
【００１６】
指示情報処理装置１は、全体の制御を司るコントローラ２を有する。コントローラ２は、ＣＰＵを主体としたコンピュータとして構成されており、ＣＰＵの動作に必要なプログラムやデータを格納しているＲＯＭや、ＣＰＵの作業領域とされるＲＡＭなどを有する。
【００１７】
また、指示情報処理装置１は、表示部３１および操作部３２を含んだ操作パネル３を有する。操作部３２は、ユーザから操作されることによって、指示情報処理装置１にプリント，スキャン，コピーなどの所定の動作を行わせる信号を入力するものである。表示部３１は、操作部３２による操作の操作案内などの情報を画面に表示するものである。この操作パネル３において、ユーザは、表示部３１に表示される操作案内などの画面表示を見ながら操作部３２を操作することができる。
【００１８】
ここで、操作部３２は、表示部３１の画面へのユーザ等の接触を検知するタッチパネルとして構成することができる。これによって、ユーザは、表示部３１の画面表示を介して操作入力を行うことができる。
【００１９】
また、指示情報処理装置１は、ネットワークとの間でデータの入出力を制御するネットワークインターフェース（Ｉ／Ｆ）５を有する。ネットワークには、外部装置としてのパーソナルコンピュータ（ＰＣ）等が接続されている。
【００２０】
指示情報処理装置１は、操作パネル３の操作部３２における操作入力に基づいた処理ばかりでなく、外部のＰＣ等からジョブフローが記述されたファイル（指示書ともいう）を受信して、そのジョブフローに基づいた処理も行う。
【００２１】
指示情報処理装置１の要部機能について説明する。図１は、指示情報処理装置１の動作を表すブロック図である。ここで、第１受付部２１，第２受付部２２，処理部２３，表示制御部２４，設定部２６，画面情報生成・送信部２７は、コントローラ２のＣＰＵの動作によって実現する。
【００２２】
第１受付部２１は、操作パネル３の操作部３２から操作入力を受付けて、その操作入力に基づく処理を処理部２３に行わせる。他方、第２受付部２２は、ネットワークを介してＰＣから指示書を受付けて、指示書に表されているジョブフローに基づく処理を処理部２３に行わせる。このように、第１受付部２１と第２受付部２２は、それぞれ別の経路から指示情報処理装置１を動作させるための入力を受付ける。
【００２３】
表示制御部２４は、表示部３１の画面に、操作部３２における操作入力のための操作画面などを表示する。
【００２４】
また、表示制御部２４は、第２受付部２２で受付けたジョブフローを処理部２３が処理することによってジョブフローに関する情報（第２側処理情報という）を表示する必要が生じた場合に、第２側処理情報を表示部３１の画面に表示する。ただし、第１受付部２１が操作入力の受付中である場合や設定部２６等における設定によっては、表示制御部２４は第２側処理情報の表示を制限する。表示制限の手法については後述する。
【００２５】
ここで、第２側処理情報は、ジョブフローの処理を進めるに当たってユーザに通知すべき情報であって、特には、パスワードの入力を求めるパスワード入力画面や用紙サイズの入力を求めるサイズ指定画面などの、ユーザに通知するとともにユーザからの応答を求める情報を表す。
【００２６】
また、第１受付部２１が操作入力の受付中であるとは、例えば、操作部３２がユーザによって操作され得る状態、すなわちユーザが認証されている間（ログインからログアウトまでの間）とすることができる。または、操作部３２がユーザによる操作中の間とユーザによって最終的に操作された時点から所定時間が経過するまでの間とすることもできる。
【００２７】
画面情報生成・送信部２７は、第２側処理情報をＰＣの画面に表示させるための画面情報を生成し、それをネットワークを介してＰＣに送信する。画面情報は、例えば、パスワード入力画面やサイズ指定画面などのＧＵＩ（Graphical User Interface）となるＨＴＭＬファイルで構成できる。
【００２８】
設定部２６は、表示制御部２４に対して第２側処理情報の表示を制限するか否かを設定する。また、表示制限する場合は、どのような手法で表示制限するか（後述）という点についても設定することができる。
【００２９】
なお、第２側処理情報の表示制限に係る設定は、このように設定部２６に依る場合に限らず、ジョブフロー内に処理工程として埋め込んでおいて表示制御部２４を動作させるようにしても良い。また、設定部２６による表示制限の内容と、ジョブフローに埋め込まれた表示制限の内容と、が異なる場合には、いずれか一方を優先させるようにすることができる。
【００３０】
指示情報処理装置１の動作について説明する。ここでは、第２受付部２２がＰＣから指示書を受付けて（受付ステップ）、その指示書に表されているジョブフローの処理を開始したときに、第２側処理情報を表示する必要が生じた場合の処理（表示制御ステップ）について説明する。なお、本実施形態では、第２側処理情報としてパスワード入力画面を表示する必要が生じた場合を例としている。
【００３１】
図３ないし図６は、パスワード入力画面の表示制限を行う場合の処理例を表すフローチャートである。また、図７は、パスワード入力画面の表示制限を行わない場合の処理例を表すフローチャートである。このように、表示制限を行うか否かという設定や、どのような表示制限を行うかという設定は、上述したように、設定部２６において設定するか、ジョブフローに埋め込むことで設定することができる。なお、これらのフローチャートでは、重複するステップについて同じ符号を付している。
【００３２】
表示制限の第１例は、パスワード入力画面の表示を待機させるものである。具体的には、図３のフローチャートに示すように、ＰＣから受信した指示書に表されているジョブフローの処理においてパスワードの入力が必要となった場合に（Ｓ１１：ＹＥＳ）、他ユーザが操作パネル３の操作部３２を操作中、すなわち第１受付部２１が操作入力の受付中であれば（Ｓ１２：ＹＥＳ）、パスワード入力画面をバックグラウンドに待機させておく（Ｓ１３）。
【００３３】
そして、他ユーザによる操作パネル３の操作部３２の操作が終了、すなわち第１受付部２１における操作入力の受付が終了したら（Ｓ１４：ＹＥＳ）、操作パネル３の表示部３１にパスワード入力画面を表示して（Ｓ１５）、ユーザにパスワードの入力を求める。このようにすることで、パスワード入力画面が他ユーザに見られることもないし、誤って入力されてしまうこともない。
【００３４】
また、Ｓ１５におけるパスワード入力画面の表示は、他ユーザによる操作パネル３の操作部３２の操作が終了した後に（Ｓ１４；ＹＥＳ）、操作パネル３の表示部３１に自動的にポップアップ表示するようにしても良いし、ジョブフローの処理により必要なユーザにパスワードの入力を要求する旨を通知または表示して、表示を許可する選択が為されてから表示するようにしても良い。
【００３５】
表示制限の第２例は、パスワード入力画面を表示するか否かを確認する確認画面を事前に表示するものである。具体的には、図４のフローチャートに示すように、パスワードの入力が必要となった場合に（Ｓ１１：ＹＥＳ）、他ユーザが操作パネル３の操作部３２を操作中であれば（Ｓ１２：ＹＥＳ）、パスワード入力画面を表示するか否かを確認する確認画面を表示する（Ｓ３１）。
【００３６】
図８に、確認画面の表示例を示す。この図は、操作パネル３の表示部３１の画面を表すものであり、ここに表示される確認画面９は、操作部３２での操作入力のための操作画面９９に隣接して表示される。確認画面９は、操作パネル３における操作とは別で処理しているジョブフローによる表示（ここでは、パスワード入力画面の表示）が待機している旨を通知する表示９１と、現在の操作パネル３における操作を継続するための選択ボタン９２と、ジョブフローによる表示に切り替えるための選択ボタン９３と、を含んでいる。
【００３７】
そして、現在の操作パネル３における操作を継続するための選択ボタン９２が選択されると（Ｓ３２：ＹＥＳ）、操作パネル３の操作が終了するのを待ってから（Ｓ１４：ＹＥＳ）、操作パネル３にパスワード入力画面を表示する（Ｓ１５）。他方、ジョブフローによる表示に切り替えるための選択ボタン９３が選択されると（Ｓ３２：ＮＯ）、操作パネル３の操作が終了するのを待たずに、パスワード入力画面の表示に切り替える（Ｓ１５）。このように、確認画面を事前に表示することで、パスワード入力画面が他ユーザに誤って入力されてしまうことがない。
【００３８】
表示制限の第３例は、パスワード入力画面を操作パネル３の表示部３１には表示せずに、外部装置であるＰＣに表示させるものである。具体的には、図５のフローチャートに示すように、パスワードの入力が必要となった場合に（Ｓ１１：ＹＥＳ）、外部に通知する設定であれば（Ｓ４１：ＹＥＳ）、パスワード入力画面の画面情報を例えばＨＴＭＬファイルとして生成し（Ｓ４３）、このＨＴＭＬファイルまたはこのＨＴＭＬファイルを参照するＵＲＬ（Uniform Resource Locator）をＰＣへ送信することで（Ｓ４４）、ＰＣにパスワード入力画面を表示させる。その後、ＰＣ側でパスワードが入力されると、指示情報処理装置１はＰＣからパスワード情報を取得する。ここでは、操作パネル３の表示部３１にパスワード入力画面の表示を行わないことから、パスワード入力画面が他ユーザに見られることもないし、誤って入力されてしまうこともない。
【００３９】
他方、外部に通知する設定でない場合には（Ｓ４１：ＮＯ）、操作パネル３の表示部３１にパスワード画面を表示する（Ｓ４２）。ここでは、第１例のようにパスワード入力画面の表示を待機させたり、第２例のように確認画面を事前に表示させたり、第４例のようにパスワード入力画面の表示を強制的にキャンセルさせたりするなどして、他の表示制限と組み合わせることもできる。
【００４０】
表示制限の第４例は、パスワード入力画面の表示を強制的にキャンセルするものである。具体的には、図６のフローチャートに示すように、パスワードの入力が必要となった場合に（Ｓ１１：ＹＥＳ）、他ユーザが操作パネル３の操作部３２を操作中（すなわち、第１受付部２１が操作入力の受付中）であって、強制的にキャンセルする設定となっていれば（Ｓ５１：ＹＥＳ）、強制的にジョブフローの処理を終了する。
【００４１】
他方、他ユーザが操作パネル３の操作部３２を操作中でないか、若しくは、強制的にキャンセルする設定となっていない場合は（Ｓ５１：ＮＯ）、操作パネル３の表示部３１にパスワード画面を表示する（Ｓ４２）。また、上記と同様に、ここでは他の表示制限と組み合わせることもできる。
【００４２】
なお、表示制限をしない場合については、図７のフローチャートに示すように、パスワードの入力が必要となった場合に（Ｓ１１：ＹＥＳ）、操作パネル３の操作部３２が操作されていたとしても、操作パネル３の表示部３１にパスワード入力画面を表示する（Ｓ１５）。
【図面の簡単な説明】
【００４３】
【図１】指示情報処理装置の動作を表すブロック図である。
【図２】指示情報処理装置の構成を表すブロック図である。
【図３】表示制限処理の第１例を表すフローチャートである。
【図４】表示制限処理の第２例を表すフローチャートである。
【図５】表示制限処理の第３例を表すフローチャートである。
【図６】表示制限処理の第４例を表すフローチャートである。
【図７】表示制限処理の第５例を表すフローチャートである。
【図８】確認画面の表示例を表す図である。
【符号の説明】
【００４４】
１  指示情報処理装置、２  コントローラ、３  操作パネル、５  ネットワークインターフェース（Ｉ／Ｆ）、６  プリンタ部、７  スキャナ部、８  ＦＡＸ部、９  確認画面、２１  第１受付部、２２  第２受付部、２３  処理部、２４  表示制御部、２６  設定部、２７  画面情報生成・送信部、３１  表示部、３２  操作部。
【図１】
2008048177.tif 000003
【図２】
2008048177.tif 000004
【図３】
2008048177.tif 000005
【図４】
2008048177.tif 000006
【図５】
2008048177.tif 000007
【図６】
2008048177.tif 000008
【図７】
2008048177.tif 000009
【図８】
2008048177.tif 000010